(57)【特許請求の範囲】
【請求項１】
テレビジョン（１）と、双方向通信システムの端末（６）と、双方向通信システムを介してサービス・プロバイダに対して及び該サービス・プロバイダからの通信を提供するために前記テレビジョンと前記双方向通信システムの端末との間で情報を転送する手段（７，８）と、を備える家庭用端末装置であって、更に、
前記テレビジョンにローカルに接続されて前記双方向通信システムを介しての通信に使用されるアプリケーションを提供する記憶手段（２）と、
前記アプリケーションのためのデータを前記テレビジョン（１）に表示（１０）するための手段（４）と、
前記アプリケーションに関連するユーザーの特定のデータを入力（１１）するための手段（４，５）と、
前記ユーザーの特定のデータを前記双方向通信システムが使用するデータ送信フォーマットに変換するコンバータと、
前記双方向通信システムを介して前記ユーザーの特定のデータを前記サービス・プロバイダに転送（１３）するための手段と、を備え、
前記記憶手段（２）は、取り外し可能なメモリー（３）を受け入れるために適用され、該取り外し可能なメモリー（３）に記憶されている前記家庭用端末装置のユーザーに使用を認めるアプリケーションを、該家庭用端末装置に提供するようになっており、且つ、
前記テレビジョンと前記双方向通信システムの端末との間で情報を転送する手段（７，８）は、前記アプリケーションに関するデータを、ローカル接続を介して前記記憶手段（２）から前記テレビジョン（１）に転送するようになっていることを特徴とする家庭用端末装置。
【請求項２】
前記双方向通信システムの前記端末（６）は、電話装置であることを特徴とする請求項１に記載の家庭用端末装置。
【請求項３】
前記双方向通信システムの前記端末（６）は、双方向ページング装置であることを特徴とする請求項１に記載の家庭用端末装置。
【請求項４】
前記双方向通信システムの前記端末（６）は、コンピュータであることを特徴とする請求項１に記載の家庭用端末装置。
【請求項５】
前記記憶手段（２）は、ビデオテープレコーダであり、且つ、前記取り外し可能なメモリー（３）は、ビデオテープであることを特徴とする請求項１に記載の家庭用端末装置。
【請求項６】
前記取り外し可能なメモリー（３）は、ビデオディスクであることを特徴とする請求項１に記載の家庭用端末装置。
【請求項７】
前記ユーザーの特定のデータは、デジタル移動電話通信網で指定されているショートメッセージに変換されることを特徴とする請求項１に記載の家庭用端末装置。
【請求項８】
前記双方向通信システムの前記端末（６）は、データコールにおけるデータメッセージを転送するように構成されていることを特徴とする請求項１に記載の家庭用端末装置。
【請求項９】
前記家庭用端末装置は、前記双方向通信システムの前記端末（６）に結合されるアクセサリ（７）を備えており、該アクセサリは、
画像情報を一時記憶するための画像ドロッパメモリーと、
前記双方向通信システムが使用する第１のデータ送信フォーマットと前記テレビジョン及びビデオテープレコーダが使用する第２のデータ送信フォーマットとの間で情報を変換するためのプロトコル・コンバータとを有することを特徴とする請求項１〜８のいずれか１項に記載の家庭用端末装置。
【請求項１０】
前記アクセサリ（７）は、更に、当該アクセサリに結合され、電池で動作する装置の電池を充電するためのチャージャー装置を備えることを特徴とする請求項９に記載の家庭用端末装置。
【請求項１１】
前記アクセサリは、更に、当該アクセサリと前記テレビジョンとの間の有線回線を形成する有線回線手段（８）を備えることを特徴とする請求項９に記載の家庭用端末装置。
【請求項１２】
アプリケーションサービスをユーザーに提供するための家庭用端末システムにおける方法であって、該システムは、テレビジョン（１）と、双方向通信システムの端末（６）と、前記テレビジョンと前記双方向通信システムの端末との間で情報を転送する手段（７，８）と、前記双方向通信システムを介して前記テレビジョンに対して及び該テレビジョンからサービス・プロバイダとの間の通信を行わせるための手段と、を備え、前記システムは、更に、前記テレビジョンに対して及び該テレビジョンから通信を行う記憶手段（２）を備え、該記憶手段（２）は、取り外し可能なメモリー（３）を受け入れるために適用されるようになっており、前記方法は、
アプリケーションを記憶する取り外し可能なメモリー（３）を前記記憶手段（２）に装填するステップと、
前記アプリケーションに関するデータを、ローカル接続を介して前記記憶手段（２）から前記テレビジョン（１）に転送するステップと、
前記アプリケーションからの入力を前記テレビジョン（１）に表示するステップ（１０）と、
ユーザーの特定のデータを入力書式に対して入力するステップ（１１）と、
前記入力書式を画像として読み込むステップと、
前記読み込まれた画像をデータメッセージに変換するステップ（１２）と、
前記双方向通信システムを介して前記データメッセージを転送するステップ（１３）と、
前記双方向通信システムを介して前記データメッセージに対する応答を受け取るステップ（１６）と、
前記データメッセージに対する前記応答を前記記憶手段に画像として記憶するステップ（１７）とを備えることを特徴とする方法。
【請求項１３】
前記双方向通信システムの前記端末（６）は、電話装置であることを特徴とする請求項１２に記載の方法。
【請求項１４】
前記双方向通信システムの前記端末（６）は、双方向ページング装置であることを特徴とする請求項１２に記載の方法。
【請求項１５】
前記双方向通信システムの前記端末（６）は、コンピュータであることを特徴とする請求項１２に記載の方法。
【請求項１６】
前記記憶手段（２）は、ビデオテープレコーダであり、且つ、前記取り外し可能なメモリー（３）は、ビデオテープであることを特徴とする請求項１２に記載の方法。
【請求項１７】
前記取り外し可能なメモリー（３）は、ビデオディスクであることを特徴とする請求項１２に記載の方法。
【請求項１８】
前記データメッセージは、デジタル移動電話通信網で指定されているショートメッセージであることを特徴とする請求項１２に記載の方法。
【請求項１９】
前記データメッセージは、データコールで転送されることを特徴とする請求項１２に記載の方法。
【発明の詳細な説明】
【０００１】
【発明の属する技術分野】
本発明は、消費者に使用されるべき双方向視聴覚端末装置に関し、特に、初期コストが安くて、その動作が公知の装置を組み合わせてそれらの特徴を新しい発明的方法で利用することに基づいている装置に関する。
【０００２】
【従来の技術】
消費者向けの電気通信端末装置は、単方向装置と双方向装置とに分類できる。最もありふれた単方向端末装置はラジオとテレビジョンとである。最も広く知られている双方向端末装置は、最近までは電話であったけれども、ファックスとモデム付きのコンピュータとが今や電話に追いついている。将来の家庭用端末装置は高品質の音響及び画像及びその他のデータをユーザーにより自由に選択された形で自由に選択された時に双方向的に転送するようになることが提案されている。しかし、これまでのところは、一定の限られたアプリケーション用に設計されていて、購入価格がかなり高くて、それを通して利用できるサービスの数が限られている装置が提案されているに過ぎない。
【０００３】
消費者は、自分が現に持っている、既に試してみて実証済みの端末装置を、全く新しくて高価な装置と取り替えたり増補したりしなければならない理由を理解しがたいと思うことがしばしばある。保守的な消費者の需要を考慮して、未知の技術に相当の投資をせずに彼らに新しいサービスを提供できるとよい。
【０００４】
【発明が解決しようとする課題】
本発明の目的は、消費者が相当に新しい装置を取得しなくても双方向通信に基づいて新しいサービスを消費者に提供できるようにする方法及び装置を提供することである。
【０００５】
【課題を解決するための手段】
本発明の目的は、ＴＶ受信装置と、ビデオテープレコーダと、双方向通信システムの端末装置（デジタル移動電話が有利である）とを組み合わせることにより達成される。ＴＶは画像とテキスト情報とをユーザーに示し、ビデオテープレコーダは大容量記憶装置として役立つと共に新しいデータのための入力チャネルとして役立ち、双方向通信システムの端末装置は装置と外部世界との間で情報を中継する。
【０００６】
本発明の第１の形態によれば、テレビジョンと、双方向通信システムの端末と、双方向通信システムを介してサービス・プロバイダに対して及び該サービス・プロバイダからの通信を提供するために前記テレビジョンと前記双方向通信システムの端末との間で情報を転送する手段と、を備える家庭用端末装置であって、更に、前記テレビジョンにローカルに接続されて前記双方向通信システムを介しての通信に使用されるアプリケーションを提供する記憶手段と、前記アプリケーションのためのデータを前記テレビジョンに表示するための手段と、前記アプリケーションに関連するユーザーの特定のデータを入力するための手段と、前記ユーザーの特定のデータを前記双方向通信システムが使用するデータ送信フォーマットに変換するコンバータと、前記双方向通信システムを介して前記ユーザーの特定のデータを前記サービス・プロバイダに転送するための手段と、を備え、前記記憶手段は、取り外し可能なメモリーを受け入れるために適用され、該取り外し可能なメモリーに記憶されている前記家庭用端末装置のユーザーに使用を認めるアプリケーションを、該家庭用端末装置に提供するようになっており、且つ、前記テレビジョンと前記双方向通信システムの端末との間で情報を転送する手段は、前記アプリケーションに関するデータを、ローカル接続を介して前記記憶手段から前記テレビジョンに転送するようになっていることを特徴とする家庭用端末装置が提供される。
【０００７】
本発明の第２の形態によれば、アプリケーションサービスをユーザーに提供するための家庭用端末システムにおける方法であって、該システムは、テレビジョンと、双方向通信システムの端末と、前記テレビジョンと前記双方向通信システムの端末との間で情報を転送する手段と、前記双方向通信システムを介して前記テレビジョンに対して及び該テレビジョンからサービス・プロバイダとの間の通信を行わせるための手段と、を備え、前記システムは、更に、前記テレビジョンに対して及び該テレビジョンから通信を行う記憶手段を備え、該記憶手段は、取り外し可能なメモリーを受け入れるために適用されるようになっており、前記方法は、アプリケーションを記憶する取り外し可能なメモリーを前記記憶手段に装填するステップと、前記アプリケーションに関するデータを、ローカル接続を介して前記記憶手段から前記テレビジョンに転送するステップと、前記アプリケーションからの入力を前記テレビジョンに表示するステップと、ユーザーの特定のデータを入力書式に対して入力するステップと、前記入力書式を画像として読み込むステップと、前記読み込まれた画像をデータメッセージに変換するステップと、前記双方向通信システムを介して前記データメッセージを転送するステップと、前記双方向通信システムを介して前記データメッセージに対する応答を受け取るステップと、前記データメッセージに対する前記応答を前記記憶手段に画像として記憶するステップとを備えることを特徴とする方法が提供される。
【０００８】
本発明は、多数の消費者が必要な表示装置、メモリー及び通信能力を既に所有していて、必要なのはそれを新しい態様で動作させるべく利用することだけであるという認識に基づいている。ＴＶ画像管は、テキスト及び画像情報の双方をユーザーに対して表示するのに適した優秀な大型表示装置である。ＴＶとの関係で多くの消費者は、本質的に大容量アナログ記憶装置を構成するビデオテープレコーダを使用する。例えばデジタルディスクを記憶のために用いるデジタルビデオ記憶手段などの、他の如何なる類似の記憶手段を使うこともできる。好ましくはビデオテープレコーダのような大容量記憶手段が使用され、ビデオテープ等の取り外し可能なメモリーにより種々のアプリケーションが使用されることができる。その場合、種々のビデオテープ（種々の記憶手段）が種々のアプリケーションを使用するためのデータをユーザーに提供する。必要なデータを内蔵しているビデオカセット（又は他の適当な取り外し可能な記憶手段）を取得し、そのカセットをビデオテープレコーダに挿入することにより、大容量記憶手段を入力チャネルとしても使用することができる。公衆通信網を介して情報を送受信することのできる電話装置又はその他の送受信装置をこの装置に接続すると、本発明の多機能家庭用端末装置を作ることができる。
【０００９】
【発明の実施の形態】
図１は、ＴＶ受信装置１と、ビデオカセット３から画像情報を読み出して、それをテレビジョンスクリーン４で表示するために公知の方法で該ＴＶに接続されているビデオテープレコーダ２とを示している。例えばＴＶスクリーン上のテキストはＴＶ及びビデオテープレコーダからは画像情報と見なされるので、画像情報という概念はこの様な関係ではなるべく広く理解されなければならない。該装置は普通はリモートコントロール装置５を含んでおり、これは装置の使用を容易にするものではあるけれども、本発明に関する限りは不要である。
【００１０】
図１は、双方向通信システムの端末装置である移動電話６も示している。装置は、移動電話の代わりに、普通の電話、コードレス電話、双方向ページング装置、ファックス機、又はこれらに相当する装置を備えていてもよい。本質的なのは、その装置によって本発明の装置が公衆通信網を介して情報を送受信できることである。本発明に関する限りは、デジタル通信は例えば情報の暗号化と誤り訂正コードの使用とに関してアナログ通信より融通の利く機能を提供するので、デジタル移動電話を使用するのが好ましい。また、移動電話は有線回線から独立しているので、移動電話を使用する場合には本発明の端末装置を壁の電話ソケットの近くに置いて使用する必要はなくなる。
【００１１】
移動電話６は、ＴＶ及びビデオテープレコーダを構成する端末装置にインターフェース部７及び局所通信リンク８を通して接続されている。図１に示されている実施例においては、通信リンク８は、ＴＶ又はビデオテープレコーダのアンテナコネクタ、ＳＣＡＲＴコネクタ、ユーロコネクタ（Euroconnector)、ペリテレコネクタ（Peritele connector）、又はその他のＴＶ又はビデオテープレコーダ中のこれらに相当するビデオコネクタ（図示せず）に結合される有線回線から成る。該通信リンクは、局地的使用に適する赤外線リンク又はその他の公知の通信リンクであってもよい。図１の実施例では、インターフェース部７はいわゆるアプリケーション特有のチャージャーアクセサリー（application-specific charger accessory）であり、その詳しい構造は図には示されていないけれども、特に、移動電話のデータフォーマットとＴＶ−ビデオテープレコーダ連合体のデータフォーマットとの間の変換を行うために使われるプロトコルコンバータを備えている。また、チャージャーアクセサリ７は、テレテキスト能力と、ＴＶ画像を全解像度で一時記憶するために使われ得る画像ドロッパメモリー（a picture dropper memory）とを持っている。チャージャーアクセサリ７は、ＴＶスクリーン４上の画像又はビデオカセット３から読み出された画像を画像ドロッパメモリーに記憶させておくことができる。チャージャーアクセサリは画像ドロッパメモリーから画像を読み出し、それをＴＶスクリーン４で表示し又はそれをビデオテープレコーダ２を介してビデオカセット３に記憶させることもできる。
【００１２】
図３は、アプリケーション固有のチャージャーアクセサリの構造と動作とをブロック図の形で示している。チャージャーアクセサリ３０（図１では参照符７）は、上記したようにＴＶセット又はビデオテープレコーダ又はこれに相当する記憶手段に該チャージャーアクセサリを接続するためのアンテナコネクタ、ＳＣＡＲＴコネクタ、ユーロコネクタ、ペリテレコネクタ又はこれらに相当するビデオコネクタ３１を有する。チャージャーアクセサリ３０は、特別の、普通は電話製造者に固有の、該チャージャーアクセサリを移動電話に接続するためのコネクタ３２も有する。また、チャージャーアクセサリは、ＰＡＬ／ＳＥＣＡＭ／ＮＴＳＣエンコーダ３９とグラフィックス・チップ４０とを有し、チップ４０は、ＴＶ画像の一時記憶のための画像ドロッパメモリー３３と、フィールド認識・配列ユニット３４と、一定の数のフィールドレジスタ３５と、それと同数のビデオデータ・コンバータ３６とを含んでいる。図３に示されているグラフィックス・チップの構造は例として示されているに過ぎず、このコンポーネントは例えばジーメンス・メガテキストタイプチップ（a Siemens Megatext type chip）（商品名）などの既製のコンポーネントであってもよい。チャージャーアクセサリは、マイクロプロセッサ（例えば８０Ｃ５２型マイクロプロセッサ（商品名））と、該マイクロプロセッサが必要とするデータ・レジスタ３７と電源３８とを更に有する。フィールド認識・配列ユニット３４は、画像ドロッパメモリー３３に記憶されている画像からフィールドと呼ばれる一定の領域を抽出して、該フィールドに１からＮまでの番号を付けられるように該フィールドを所定の順序に配列することができる。このＮはフィールドの許容最大数である。フィールド・レジスタ３５は、画像ドロッパメモリー３３に記憶されているＴＶ画像の一部分であるフィールド即ち一定の画素の２次元集合を各々保持するやや小型の記憶装置である。画像は画素ではなくて、もっと大きな単位即ち例えば８×８画素から成るブロック単位で処理されてもよい。その様にすると画像の解像度は悪くなるけれども、メモリーの容量を小さくすることができる。
【００１３】
各フィールド・レジスタは一種の双方向パターン認識装置であるビデオデータ・コンバータ３６と接続されており、該ビデオデータ・コンバータは２次元の画素又はブロックの集合をビット列に変換し、またその逆の変換を行うことができることを意味する。ビデオデータ・コンバータは、フィールドの中の、例えば一定のアルファベットや数字を表す画素の集合を認識して、それらを、そのアルファベットや数字を表すＡＳＣＩＩコードに変換する。この様なコンバータは、種々の表示装置、パターン認識装置及びその他の種類のグラフィックス・チップとして知られている。ビデオデータ・コンバータ３６はマイクロプロセッサ及びデータ・レジスタ３７と双方向通信するので、該コンバータが作った結果から一定のデータ・レジスタにおいて一定のビット列をコンパイルすることができ、また、同様に、一定のデータ・レジスタのビット列を部分毎に該コンバータに送って、それに対応する画素又はブロックの集合を作成させることができる。マイクロプロセッサは、コネクタ３２を介して、それに接続されている移動電話に必要なデータを送ることができる。アクセサリ３０が移動電話の電池のための充電器として作用し得るようにするために、アクセサリに含まれている電源３８はコネクタ３２への給電結線も持っている。アクセサリ３０は電源入力を持っているだけでもよく、その場合には該アクセサリは、移動電話をコネクタ３２で受け止めて、電源入力３８を介して外部の充電器から電力を受け入れる卓上スタンドのようなものとなる。コネクタ３２はデータアダプタを含んでいてもよく、また、データアダプタをコネクタ３２と移動電話との間に接続して、ＧＳＭシステム等の移動電話システムを介してデータを送れるように該データを変換させるとともに、移動電話システムを介して受信したデータをグラフィックス・チップ４０に適したフォーマットに変換させるようにしてもよい。その様なデータアダプタは、例えば、コンピュータを移動電話に接続するためのデータカードとして知られている。
【００１４】
ユーザーが赤外線リモートコントローラを使って装置の動作を制御しようとする場合には、図３のアプリケーション固有のチャージャーアクセサリはマイクロプロセッサ３７への結線を備えた赤外線受信装置を具備され得る。すると、ユーザーは、チャージャーアクセサリにコマンドを直接与え、それを介して移動電話又はその他の、該装置の他のコンポーネントにコマンドを与えることができる。
【００１５】
次に、図１に示されている装置と図２に示されている諸段階とを参照して本発明の方法について説明する。ユーザーが自分の端末装置を銀行用端末装置として使いたいと思っていると仮定しよう。その場合、１つの重要な機能は、支払いを行うこと、即ち銀行口座から他の銀行口座にお金を移すことである。ユーザーは、初めに、空欄のある種々の書式を画像フォーマットとして含むビデオカセット３を入手している。リモートコントロール装置５により発せられたコマンド（このコマンドはＴＶセット１により表示される制御メニューに基づくことができる）に応じて、ビデオテープレコーダ２は、そのビデオカセットから、ユーザーのためにＴＶスクリーン４で表示される空欄のある支払い書式を読み出す。その空欄のある支払い書式を一般に入力書式と呼ぶことができ、ユーザーへのその書式の提示は図２の方法の第１段階１０である。
【００１６】
ユーザーは、支払いデータを押しボタンコマンドとしてリモートコントロール装置５に入力する。このときにも、ＴＶで表示されるメニューを使用することができる。受取人の銀行口座番号、支払うべき金額、及び参照番号などのデータは、スクリーン４上で示される支払い書式のそれぞれの領域に表示される。この段階は一般にデータの入力と呼ばれていて、図２では参照符１１で指示されている。全てのデータが入力された後、ユーザーは一定の終了コマンドを出し、その後、スクリーン４で示されている完成した支払い書式がチャージャーアクセサリ７の画像ドロッパメモリーに読み込まれる。チャージャーアクセサリは、ユーザーの入力をその画像から抽出し、それを、例えば、デジタルセルラー無線システムで使用される比較的に短い文字列型メッセージの送信フォーマットを指すショートメッセージに変換する。ショートメッセージの代わりに、データをデータコールとして送信することができる。画像ドロッパメモリーへの画像の記憶と、その結果として行われるメッセージのコンパイルとは図２では１つの段階１２として描かれている。
【００１７】
送信フォーマットに関わらず、支払いデータは移動電話６と公衆通信網とを介して銀行に転送される。銀行サービス又はその他の機密メッセージの場合には、例えばＧＳＭシステムでは公知の手続きである普通は暗号法と送り手の身元確認方法とを使う必要があり、移動電話の所有者のＳＩＭカード（Subscriber Identity Module（加入者識別モジュール））に記憶されている情報に基づく。データの送信と、実行されることのある暗号化及び送り手の身元確認とは図２では参照符１３、１４及び１５で指示されている。受取手、即ち銀行のコンピュータ（図示せず）は、トランザクションを処理した後、移動電話６を通してユーザーに領収書を送る。不正なユーザーが自分の請求書に自分で受け取り済みと記入できるようでは困るので、暗号法をその領収書にも適用する必要がある。その領収書は、チャージャーアクセサリ７の画像ドロッパメモリーの、送信段階でトランザクションを表していたのと同じ画像のフィールドに記憶されるのが有利である。領収書が加えられる画像は、ＴＶスクリーン４でユーザーに表示されることができ、またビデオカセット３に記憶されて、後の編集及び上書きから保護される。システムがプリンタを含んでいるならば、受け取り済みの支払いからハードコピーを印刷することができる。受け取り確認と記憶とは図２では参照符１６及び１７で指示されている。
【００１８】
種々のサービスのプロバイダは、所要の入力書式を含んでいるビデオカセットを用意してそれをユーザーに配布することによって、必要に応じて本発明のシステムを容易に使用することができる。入力書式を普通のＴＶ転送として送ることができ、また電話システムを介しても送ることができるので、ユーザーはそれらを後で使うためにビデオテープに記録することができる。ビデオカセットで配布された入力書式を個人専用とすることもできる。例えば、ユーザーの全ての入力書式はそのユーザーの名前を含むので、ユーザーはそれを自分で加える必要はない。更に、視力のよくないユーザーは自分の入力書式のテキストを拡大することができる。ビデオテープレコーダとＴＶとから成る装置は音響メッセージをユーザー向けに再生するのにも適しているので、一定の入力書式に音響メッセージを付随させることもできる。
【００１９】
上記の銀行業務サービス機能は例として取り上げられているだけで、本発明が多様なサービスを提供するために使用可能であることは当業者には明白である。サービスの使用と引き替えに報酬を得ることを望んでいるサービス・プロバイダがユーザーの銀行口座の借り方に直接記入することができないのであれば、その料金をユーザーの電話の請求書に加えることによってそのサービスは送り状を送られ得る。
【００２０】
上記の銀行業務サービスから実施方法を導き出すことのできる他のサービスの例としては、公共輸送機関の時間表の表示、乗車券の予約、世論調査、種々の製品の通信販売、ロット（一種の賭博遊戯）、サッカーくじ、賭けサービスがあり、また株取引との関係では株取引レートに関する実時間情報の表示及び売買注文を行うサービスがある。特定のアプリケーション又は特定のアプリケーション用のデータ（例えば、種々の銀行取引を実行するための種々の書式）を内蔵するビデオテープやビデオディスク等の取り外し可能なメモリーを購入することにより、この様な種々のアプリケーションを装置に導入することができる。最も頻繁に使われるサービスの入力書式に迅速にアクセスすることができて、ユーザーがそれらをビデオカセットからロードしなくてもすむように、それらの入力書式をＴＶの半導体メモリーに記憶させておくこともできる。上記の画像ドロッパメモリーは、チャージャーアクセサリにではなくてＴＶ又はビデオテープレコーダに含まれていてもよい。これをチャージャーアクセサリに配置した主な理由は、本発明の家庭用端末装置を提供するためにＴＶ及びビデオテープレコーダに付加されるコンポーネントの数を少なく押さえるためである。
【００２１】
本発明は、新しい態様で双方向通信を必要とする一定の電気的サービスを非常に多くの消費者のグループに利用可能とするものであるので、本発明は従来技術からの明らかな改良である。消費者は、双方向通信システムの移動電話又はその他の端末装置を本発明の家庭用端末装置に結合させるインターフェースユニットを入手することによって、既に自宅にあるＴＶ及びビデオテープレコーダを使用することができる。
【図面の簡単な説明】
【図１】本発明の家庭用端末装置の略図である。
【図２】本発明の好ましい実施例の方法の諸段階を示す図である。
【図３】本発明の家庭用端末装置の構成要素の動作を示す略図である。
【符号の説明】
１…テレビジョン受信機
２…ビデオテープレコーダ
３…ビデオカセット
４…テレビジョンスクリーン
５…リモートコントローラ
６…移動電話
７…インターフェイス部
８…局所通信リンク
【図１】
0003939810.tif 000002
【図２】
0003939810.tif 000003
【図３】
0003939810.tif 000004